(57)【特許請求の範囲】
【請求項１】
左右の側枠を有するフレームと、前記フレームの左右の側枠の一方に配設されたハンドルと、前記フレームの左右の側枠にそれぞれ配設された側板と、前記側板間に回転自在に支持されたスプールとを有するリール本体を具備し、前記スプールの回転制動力を調整可能な制動装置が反ハンドル側の側枠及び側板の間に配設された魚釣用リールであって、
前記制動装置は、前記スプールの回転制動力を調整するために釣り人にそれぞれ操作される複数の操作部と、前記操作部の調整状態を前記釣り人に視認させる複数の視認部とを有し、
前記反ハンドル側の側板は、外表面に窓部を有し、前記リール本体を把持した釣り人が前記側板の外側から前記窓部を通して複数の視認部を視認可能とし、
前記窓部内に露出する前記視認部及び前記操作部は、凹凸状の滑り止めが付され、前記側板の外表面に対して非突出状態に配置され、
前記窓部は、指が侵入可能な横長の形状を成し、上側よりも下側が突出する縁部が形成されたことを特徴とする魚釣用リール。
【請求項２】
前記窓部は、複数に分割されていることを特徴とする請求項１に記載の魚釣用リール。
【請求項３】
前記窓部は全て、前記スプールのスプール軸の軸芯を通る水平面よりも上側にあることを特徴とする請求項１もしくは請求項２に記載の魚釣用リール。
【請求項４】
前記窓部は、その縁部に取り付けられた枠体を有することを特徴とする請求項１から請求項３のいずれか１に記載の魚釣用リール。
【請求項５】
前記窓部を複数に分割する仕切り部を有することを特徴とする請求項１もしくは請求項４に記載の魚釣用リール。
【発明の詳細な説明】
【技術分野】
【０００１】
この発明は、リール本体の側板間に回転自在に支持したスプールの過回転現象を防止する制動装置を備えた魚釣用リールに関する。
【背景技術】
【０００２】
従来から釣糸放出時（例えば、キャスティング時）に釣糸の引き出し速度よりスプールの回転速度が速くなる過回転が生じると、バックラッシュ現象が生じて糸絡みや食い込み等の不具合が発生することが知られている。このため、このようなスプールの過回転現象を自動的に防止するための制動装置（バックラッシュ防止装置）をキャスティング用リールに装備する場合がある。  
ところで、釣場においては、仕掛け放出の条件として、仕掛けをより遠方にキャストするように飛距離向上を優先する場合のロングキャスト（フルスイングキャスト）から、身近なポイントへのショートキャスト等、対象魚、釣場の状況などにより釣り人にとってベストな仕掛け放出操作とリールのスプール制動特性が要求される。  
そのような事情に着目し、例えば特許文献１においては、釣場の様々な状況変化に応じてショートキャストからロングキャストに至るまで対応可能な磁気制動装置を備えた魚釣用リールが開示されている。
【先行技術文献】
【特許文献】
【０００３】
【特許文献１】特開２００９−０２７９７５号公報
【発明の概要】
【発明が解決しようとする課題】
【０００４】
特許文献１の磁気制動装置の２つの操作部は側板から夫々突出した状態に配置されているので、制動装置の調整状態を容易に視認できる。しかし、このような操作部が魚釣用リールに配置されている場合、以下の問題が生ずるおそれがある。  
特許文献１は、スプール軸上に配置された操作部が側板の外表面より外側に突出している。このため、操作部が把持する手に食い込む可能性があり把持性が低下するおそれがある。また、側板は通常、最も側方に張り出しているので、このような把持性の低下に起因して把持する際に側板に力を加える必要があり、操作部を意図せず操作したり、誤操作の原因になるおそれがある。
【０００５】
この発明は、スプールの制動力を調整するために操作され、その調整状態が視認される操作部が複数存在していても、釣り人がリールを把持する妨げにならず、誤操作を発生させ難く、操作や視認といった一連の動作を容易にした魚釣用リールを提供することを目的とする。
【課題を解決するための手段】
【０００６】
上記課題を解決するために、この発明に係る魚釣用リールは、左右の側枠を有するフレームと、前記フレームの左右の側枠の一方に配設されたハンドルと、前記フレームの左右の側枠にそれぞれ配設された側板と、前記側板間に回転自在に支持されたスプールとを有するリール本体を具備し、前記スプールの回転制動力を調整可能な制動装置が反ハンドル側の側枠及び側板の間に配設された魚釣用リールであって、前記制動装置は、前記スプールの回転制動力を調整するために釣り人にそれぞれ操作される複数の操作部と、前記操作部の調整状態を前記釣り人に視認させる複数の視認部とを有し、前記反ハンドル側の側板は、外表面に窓部を有し、前記リール本体を把持した釣り人が前記側板の外側から前記窓部を通して複数の視認部を視認可能とし、前記窓部内に露出する前記視認部及び前記操作部は、凹凸状の滑り止めが付され、前記側板の外表面に対して非突出状態に配置され、前記窓部は、指が侵入可能な横長の形状を成し、上側よりも下側が突出する縁部が形成されたことを特徴とする。
【発明の効果】
【０００７】
釣り人が複数の視認部をそれぞれ視認可能とする窓部を有し、窓部は、側板の外表面に対して視認部及び操作部をそれぞれ非突出状態に配置したことにより、スプールの制動装置の制動状態を確認する視認部を視認可能とし、操作部及び視認部をリール本体の側板の外表面に対して突出しないように配置するので、リールを把持した際に操作部が掌や指に喰い込むことがなく、良好な把持性を維持できる。また、制動装置の状態把握（操作部の状態を視認）から制動装置の操作部の操作に至る一連の動作を正確かつスピーディに実践できる。また、操作部を複数化することによって、１つの場合よりも制動装置の回転制動力をより詳細に設定できる。なお、操作部は窓部を通して操作しても、他の部分で操作しても良い。窓部以外の部分から操作する場合、調整状態を視認しながら調整操作を行うことができ、窓部を通して操作する場合、操作部を直接操作できる。  
操作部をそれぞれ操作可能及び／又は視認可能とする窓部を複数に分割し、複数の窓部を形成することによって、各窓部の大きさを小さくすることができる。このため、側板の強度や剛性を確保し易い。  
リール本体の通常の把持状態ではリール本体の上部に親指を、リール本体の下部や釣竿にその他の指（例えば人差し指から小指）を掛けて把持する。このように、リール本体を通常に把持した場合、人差し指から小指の付け根の近傍を親指の付け根の近傍よりもハンドルとは反対側の側板に強く当てる必要がある。一方、スプール軸の軸芯の延長線上よりも上側の部分には掌を強く当てる必要がない（掌は必ずしも当たる必要はない）。したがって、窓部がスプール軸の軸芯の延長線上よりも上側にあれば、窓部が形成されていることは把持性に影響を与え難くすることができる。  
枠体により窓部を容易に補強できるとともに、窓部の設計自由度を高くでき、また、把持した手に対してフィーリングの向上、意匠性の向上、更には、他部品との関係において最適な材料を選択できる。また、窓部の開口量が大きくなればなるほど、枠体による補強効果を大きくすることができる。  
仕切り部を形成することによって、窓部を複数に分割できるので、仕切り部を補強部材として用いることにより、強度の向上を図ることができる。また、仕切り部に意匠を施すこともできる。
【図面の簡単な説明】
【０００８】
【図１】第１実施形態に係る、釣竿に魚釣用リールを取り付けた釣具を示し、（Ａ）は左手で釣竿及びリールを保持して右手でハンドルを保持した状態を示し、図１（Ｂ）中の矢印１Ａ方向から観察した状態を示す概略的な上面図であり、（Ｂ）は左手で釣竿及びリールを保持した状態を示し、図１（Ａ）中の矢印１Ｂ方向から観察した状態を示す概略的な左側面図。
【図２】第１実施形態に係る魚釣用リールのうち、ハンドルが取り付けられた側と反対側から観察した状態を示し、図１（Ａ）中の１Ｂ方向から見た概略図。
【図３】第１実施形態に係る魚釣用リールを示し、図２中のＩＩＩ−ＩＩＩ線に沿う概略的な部分横断面図。
【図４】第１実施形態に係る魚釣用リールの図３中の矢印ＩＶで示す部分の概略的な拡大図。
【図５】（Ａ）は第１実施形態に係る魚釣用リールの左側枠から取り外した左側板の表面側を示す概略図、（Ｂ）は図５（Ａ）中の５Ｂ−５Ｂ線に沿う概略的な部分縦断面図、（Ｃ）は第１実施形態に係る魚釣用リールのうち、ハンドルが取り付けられた側と反対側の左側板を取り外した状態で観察した状態を示す概略的な左側面図。
【図６】第１実施形態に係る魚釣用リールの第１の操作機構の回動操作部を示し、（Ａ）は正面図、（Ｂ）は背面図、（Ｃ）は図６（Ａ）中の６Ｃ−６Ｃ線に沿う縦断面図、（Ｄ）は図６（Ａ）中の６Ｄ−６Ｄ線に沿う縦断面図。
【図７】第１実施形態に係る魚釣用リールのうち、ハンドルが取り付けられた側と反対側から観察した状態を示し、かつ、左側板及び第１の操作機構の回動操作部を取り外した状態を示す概略図。
【図８】第１実施形態に係る魚釣用リールのうち、ハンドルが取り付けられた側と反対側から観察した状態を図７中のＶＩＩＩ−ＶＩＩＩに沿って観察した状態を示す概略図。
【図９】第１実施形態に係る魚釣用リールのうち、ハンドルが取り付けられた側と反対側から第１の操作機構を観察した状態を示し、（Ａ）は第１の操作機構の回動操作部の内側突状部を図８中の第１の段部に配置した状態を示す概略図、（Ｂ）は第１の操作機構の回動操作部の内側突状部を図８中の第２の段部に配置した状態を示す概略図、（Ｃ）は第１の操作機構の回動操作部の内側突状部を図８中の第３の段部に配置した状態を示す概略図。
【図１０】第１実施形態に係る魚釣用リールのうち、第１の操作機構の概略的な横断面を示し、（Ａ）は図９（Ａ）に示す状態に対応し第１の操作機構の回動操作部の内側突状部を図８中の第１の段部に配置した状態を示す概略図、（Ｂ）は図９（Ｂ）に示す状態に対応し第１の操作機構の回動操作部の内側突状部を図８中の第２の段部に配置した状態を示す概略図、（Ｃ）は図９（Ｃ）に示す状態に対応し第１の操作機構の回動操作部の内側突状部を図８中の第３の段部に配置した状態を示す概略図。
【図１１】第１実施形態に係る魚釣用リールを示し、（Ａ）は図１（Ａ）及び図２中のＸＩ（Ａ）−ＸＩ（Ａ）線に沿う部分の要部を示すとともに、左手でリールを保持しながら図１及び図２に示す第２の操作機構の回動操作部に左手の親指を当てて操作する状態を示す概略的な縦断面図、（Ｂ）は図１（Ａ）及び図２中のＸＩ（Ｂ）−ＸＩ（Ｂ）線に沿う部分の要部を示す概略的な縦断面図。
【図１２】第２実施形態に係る魚釣用リールのうち、ハンドルが取り付けられた側と反対側から観察した状態を示す概略図。
【図１３】（Ａ）は第２実施形態に係る魚釣用リールの左側枠から取り外した左側板の表面側を示す概略図、（Ｂ）は図１３（Ａ）中の１３Ｂ−１３Ｂ線に沿う概略的な部分縦断面図。
【図１４】第２実施形態に係る魚釣用リールを示し、（Ａ）は図１２（Ａ）中のＸＩＶ（Ａ）−ＸＩＶ（Ａ）線に沿う部分の要部を示す概略的な縦断面図、（Ｂ）はＸＩＶ（Ｂ）−ＸＩＶ（Ｂ）線に沿う部分の要部を示す概略的な縦断面図。
【図１５】第３実施形態に係る魚釣用リールのうち、ハンドルが取り付けられた側と反対側から観察した状態を示す概略図。
【図１６】（Ａ）は第３実施形態に係る魚釣用リールの左側枠から取り外した左側板の表面側を示す概略図、（Ｂ）は図１６（Ａ）中の１６Ｂ−１６Ｂ線に沿う概略的な部分縦断面図。
【図１７】第４実施形態に係る魚釣用リールのうち、ハンドルが取り付けられた側と反対側から観察した状態を示す概略図。
【図１８】（Ａ）は第４実施形態に係る魚釣用リールの左側枠から取り外した左側板の表面側を示す概略図、（Ｂ）は図１８（Ａ）中の１８Ｂ−１８Ｂ線に沿う概略的な部分縦断面図。
【図１９】第４実施形態に係る魚釣用リールを示し、（Ａ）は図１７（Ａ）中のＸＶＩＩＩＩ（Ａ）−ＸＶＩＩＩＩ（Ａ）線に沿う部分の要部を示す概略的な縦断面図、（Ｂ）はＸＶＩＩＩＩ（Ｂ）−ＸＶＩＩＩＩ（Ｂ）線に沿う部分の要部を示す概略的な縦断面図。
【発明を実施するための形態】
【０００９】
図１から図１１を用いて本発明の第１実施形態による魚釣用リール１０について説明する。  
例えば図１から図３に示すように、本実施形態の魚釣用リール１０は、両軸受型手巻きリールとして形成してある。図１に示すように、ここでは釣り人が左手ＬＨで釣竿８及び魚釣用リール１０を保持し、右手ＲＨで魚釣用リール１０の右側部のハンドル３０を回すように形成されている場合について説明する。ここでは、ハンドル３０の右側に突出したツマミ３０ａを保持して後述するスプール２０を回転させて釣糸を巻き取る。もちろん、左手ＬＨでハンドル３０を操作するようにハンドル３０の配置が逆（左側部）であっても良い。
【００１０】
なお、この実施形態において、前後、左右は例えば図１（Ａ）中に示すように、実釣中における前後、左右の方向を示す。上下は例えば図１（Ｂ）中に示すように、実釣中における上下の方向を示す。
【００１１】
図１から図３に示すように、魚釣用リール１０のリール本体１２は、図示しない連結部材等で一体化される左右一対の側枠（右側枠１４ａ及び左側枠１４ｂ）を連結して一体の枠体構造を形成するフレーム１４を有し、この側枠１４ａ，１４ｂのそれぞれの外側に、例えば螺合あるいは嵌合等の手段を適宜に組み合わせて側板（右側板１６ａ及び左側板１６ｂ）を取り付けて、全体的に剛性構造のハウジングとして形成されている。そして、魚釣用リール１０のリール本体１２は、右側枠１４ａ及び左側枠１４ｂ間に配設されたリール取付脚部１８を介して釣竿８に固定される。  
リール本体１２の左右一対の側枠１４ａ，側枠１４ｂの上側であって、側板１６ａ，１６ｂの間にはサムレスト１９がフレーム１４と一体成形されているが、例えばビス、螺合あるいは嵌合等の手段を適宜に組み合わせてフレーム１４に取り付けられても良い。この実施形態では、サムレスト１９の外観はスプール２０に巻回された釣糸に親指ＬＴをかけてサミング操作を行うためにリール１０の後側が開いた略Ｕ字状である。
【００１２】
釣糸が巻回されるスプール２０は、左右の側枠１４ａ，側枠１４ｂ間に回転自在に支持され、右側板１６ａはスプール２０を回転駆動させる巻取り駆動部２２（図３参照）を支持し、この右側板１６ａ及びフレーム１４の右側枠１４ａにより形成された空間内に、巻取り駆動部２２を形成する駆動力伝達系やドラグ系等の各種機構が収容されている。
【００１３】
図３に示すように、このリール本体１２の側枠１４ａ，側枠１４ｂ間には、スプール２０を装着してこのスプール２０と共に回転するスプール軸２６の両端部が、例えば図示のようなボール軸受２８ａ，２８ｂを介して回転自在に支持されている。このスプール軸２６の一端側には、ハンドル３０の回転を軸受３２ａ，３２ｂに支持されたハンドル軸３４、ハンドル軸３４に回り止め嵌合されたドラグ機構４４を経由してドライブギヤ３６を介して回転駆動されるピニオンギヤ３８がこのスプール軸２６と同軸上に配置されている。  
なお、ハンドル軸３４には、公知のスタードラグ（ドラグ調整ノブ）４２が配設され、ドライブギヤ３６には公知のドラグ機構４４が配設されているが、これらについては説明を省略する。
【００１４】
ドライブギヤ３６を介して回転駆動されるピニオンギヤ３８は、詳細には図示しない公知のクラッチ（伝達機構）４８を介して、側板１６ａ，１６ｂ間に配置したクラッチレバー５０（図３参照）と連動しており、このクラッチレバー５０を下方に押圧作動することにより、クラッチ４８がＯＦＦとなり軸方向に沿って図３中の右側に移動することができる。例えば、クラッチレバー５０の操作により、スプール軸２６の右端部にピニオンギヤ３８が嵌合した位置すなわち巻取状態と、スプール軸２６の右端部からピニオンギヤ３８を分離した状態（スプールフリー状態）とに切り替えることができる。また、ピニオンギヤ３８がスプール軸２６の右端部に対して分離した状態で、ハンドル３０を回転させると、図示しない公知の復帰機構を介して、ピニオンギヤ３８がスプール軸２６の右端部に嵌合して元の状態（巻取状態）に復帰し、スプール軸２６と一体化されているスプール２０が、ピニオンギヤ３８と共に一体的に回転する。
【００１５】
スプール２０は、軸方向の両側に形成された１対の鍔部２０ａ間に位置する円筒状の胴部２０ｂを有し、胴部２０ｂの内周側に位置する中央壁部２０ｃを介してスプール軸２６に一体的に装着され、１対の鍔部２０ａと釣糸巻回胴部２０ｂの外周面とで形成される環状溝内に釣糸（図示しない）が巻回される。この環状溝の底部を形成する胴部２０ｂ上に釣糸（図示しない）を均等に巻回するため、ハンドル３０の釣糸巻取り回転に連動して、１対の左右の側枠１４ａ，側枠１４ｂ間を往復動する公知のレベルワインド機構（図示せず）が配置されている。このレベルワインド機構は、右側板１６ａ内の駆動部と連動する係合子を左右に移動させることにより、ハンドル３０の回転操作にともなって、釣糸をスプール２０の胴部２０ｂ上に均等に巻き取ることができる。
【００１６】
そして、フレーム１４のうち、ハンドル３０の反対側（反ハンドル側）に位置する左側枠１４ｂと左側板１６ｂとの間には、スプール２０の過回転を防止する磁気制動装置（ブレーキ装置）５４を配置してある。  
磁気制動装置５４は、スプール２０と一体回転するように取り付けた導電体５６を備える。図４に示すように、本実施形態の導電体５６は、スプール軸２６に強固に固定されるボス部５６ａと、このボス部５６ａから半径方向外方に延びるディスク状部５６ｂと、このディスク状部５６ｂの外周縁部からハンドル３０と反対側に延びる円筒状部５６ｃとを有し、例えばアルミニウムあるいは銅等の非磁性の導電性材料で形成されている。  
円筒状部５６ｃは、後述する内側リング磁石６８及び外側リング磁石７０とほぼ等しい軸方向寸法を有し、その全体がこれらの磁石６８，７０間の環状間隙７２内に挿入されている。このため、円筒状部５６ｃは、これらのリング磁石６８，７０の側面側から漏れ出る磁束の範囲内に配置されている。これらの円筒状の導電体５６は、非磁性の導電性材料で形成されているので、これらの磁束内を移動するときに、渦電流が誘導される。
【００１７】
図２及び図３に示すように、この実施形態では磁気制動装置５４は、スプール２０の制動力の調整を行う第１及び第２の操作機構（スプール制動力調整部）１１０，１１２を有する。ここでは、これら第１及び第２の操作機構１１０，１１２が左側枠１４ｂと左側板１６ｂとの間に配設された例について説明する。釣り人が第１の操作機構１１０の第１の操作部（回動操作部）１２４を操作すると、スプール２０に対する制動効果を大きく変化させて基準制動力を設定でき、第２の操作機構１１２のスプール制動力調整部（別の操作部、第２の操作部）１７２を操作すると、第１の操作機構１１０の第１の操作部１２４の操作による基準制動力（制動効果）を微調整できる。すなわち、操作部を複数化することによって、１つの場合よりも制動装置５４の回転制動力をより詳細に設定でき、ロングキャスト（フルスイングキャスト）から身近なポイントへのショートキャスト等を行う際に、対象魚、釣場の状況などにより釣り人にとってベストなリール１０のスプール２６の制動特性を得ることができる。
【００１８】
図５（Ｃ）に示すように、左側枠１４ｂの平面部１１５には、後述するネジ（係合部）１１９が左側板１６ｂの貫通孔１１８を通してそれぞれ螺合される３つのネジ穴（係合部）１１５ａが形成されている。これらネジ穴１１５ａはそれぞれ平面部１１５の縁部近傍に形成されている。
【００１９】
図５（Ａ）に示す左側板１６ｂは、左側枠１４ｂの平面部１１５を覆うとともに、左側枠１４ｂから左方に突出した第１及び第２の操作機構１１０，１１２を覆う空間を有するカバー部材として形成されている。左側板１６ｂの外観は、前側の上下方向幅が後側の上下方向幅に比べて小さく形成された略卵型の一部を成す形状を有する。本実施形態では左側板１６ｂは、上下方向よりも前後方向を長くしているが、上下方向と前後方向を同じ寸法（例えば円形状）とするなど、左側板１６ｂを適宜の形状に形成しても良い。
【００２０】
左側板１６ｂは、例えばＡＢＳ、ＰＡ、ＰＣ等の樹脂や、ＦＲＰ、アルミニウム合金、マグネシウム合金等で形成され、左手ＬＨの掌を受ける外面部１１７と、上側縁部ＵＬと、下側縁部ＬＬとを一体的に有する。上側縁部ＵＬ及び下側縁部ＬＬは左側板１６ｂの前側及び後側で連続した状態に形成されている。  
図４及び図５（Ｂ）に示すように、外面部１１７は、左側枠１４ｂに対して左側板１６ｂを装着した状態で外側となり左手ＬＨの掌を受けるように膨出した表面部（外表面部）ＯＳと、左側枠１４ｂに対向するように内側となり第１及び第２の操作機構１１０，１１２を収容する凹状の裏面部（内表面部）ＩＳとを有する。図１（Ｂ）に示すように、この実施形態における左側板１６ｂの表面部ＯＳは左手ＬＨの掌の母指球周辺に当たる位置が滑らかな膨らみを持った状態に形成されている。左側板１６ｂの裏面部ＩＳは、左側枠１４ｂ及び左側枠１４ｂに装着された第１及び第２の操作機構１１０，１１２との間に空間を形成する。  
また、左側板１６ｂの表面部ＯＳはスプール軸２６を延長した位置周辺（後述する第１の操作部１２４の周辺）から後述する第２の操作部１８４の周辺が最も膨らんでいる。例えば本実施形態では図５（Ａ）に示す左側板１６ｂの表面部ＯＳのうち、一点鎖線Ｅで示す部分（稜線部分）がその上下よりも左側枠１４ｂの平面部１１５に対して最も突き出した部分（領域）である。本実施形態の場合、稜線部分Ｅはスプール軸２６の軸芯Ｃを通る水平面（前後方向、及び、前後方向に直交する左右方向により形成される面）よりも上下方向上側にある。稜線部分Ｅをこのような位置に配置することによって、左側板１６ｂの外面部１１７の表面部ＯＳに対する法線が水平面よりも下向きとなる部分の面積、すなわち、掌に当たる面積を大きくでき、リール１０の把持性を良好にすることができる。
【００２１】
なお、一般に、両軸受型リールの場合、スプール軸２６の支持構造や制動装置を収納するために、スプール軸２６の軸芯Ｃの延長線上の左側板１６ｂの表面部ＯＳの部分やその周辺が最も左方（反ハンドル３０側）に突出する傾向にある。このため、稜線部分Ｅはスプール軸２６の軸芯Ｃの延長線上又はその周辺（例えば数ｍｍ程度上側又は下側に離れた位置）にあることも好ましい。
【００２２】
左側板１６ｂの上側縁部ＵＬ及び下側縁部ＬＬは表面部ＯＳ及び裏面部ＩＳに滑らかに連続して形成されている。上側縁部ＵＬ及び下側縁部ＬＬは、この実施形態ではサムレスト１９と左側枠１４ｂは一体に形成されているが、別体であっても良い。
【００２３】
そして、左側板１６ｂを左側枠１４ｂに固定する場合、図５（Ａ）に示す左側板１６ｂの外面部１１７に形成された３つの貫通孔１１８と、図５（Ｃ）に示す左側枠１４ｂの平面部１１５に形成されたネジ穴１１５ａとを同軸上に配置した状態で、これらにネジ１１９（図２参照）を螺合することによって固定される。
【００２４】
なお、下側縁部ＬＬには、第１の操作部１２４の後述する操作突起（第１の操作部、回動操作部）１６０が回動操作可能に配置される操作開口部１２０（図１１（Ｂ）参照）が形成されている。操作開口部１２０は、左側枠１４ｂと左側板１６ｂとの間に浸入する例えば海水等を抜いたり、ゴミを排出するための開口としても機能する。
【００２５】
図４に示すように、第１操作機構１１０は、セットプレート１２２と、例えば円形状を有する第１の操作部（回動操作部）１２４と、内側磁石ホルダ１２６と、外側磁石ホルダ１２８とを有する。  
セットプレート１２２は、左側枠１４ｂに対してネジ留めや嵌合等の手段により固定されている。セットプレート１２２は、スプール軸２６及び軸受２８ｂを収容する中央開口１３２と同心状に、スプール軸２６側から小径部１３４ａと大径部１３４ｂとを順に形成した支持台部１３４を有する。  
小径部１３４ａの外周部には、内側磁石ホルダ１２６を収容する環状溝１３６を形成してある。内側磁石ホルダ１２６は環状溝１３６に対して摺動可能である。この内側磁石ホルダ１２６の外周には、第１実施形態で説明した内側リング磁石６８を固定してある。  
大径部１３４ｂの内周部には、外側磁石ホルダ１２８を収容する環状溝１３８を形成してある。外側磁石ホルダ１２８は環状溝１３８に対して摺動可能である。この外側磁石ホルダ１２８の内周には、第１実施形態で説明した外側リング磁石７０を固定してある。  
すなわち、セットプレート１２２のうち、スプール２０側には、内側磁石ホルダ１２６及び外側磁石ホルダ１２８が配設されている。そして、内側磁石ホルダ１２６は外側磁石ホルダ１２８に対して回動可能である。また、内側磁石ホルダ１２６は外側磁石ホルダ１２８とともにスプール軸２６の軸方向への移動は可能であるが、単独での移動は規制されている。
【００２６】
図５（Ｃ）には左側枠１４ｂに対して図５（Ａ）に示す左側板１６ｂを取り外した状態の第１の操作機構１１０のセットプレート１２２及び第１の操作部１２４を示す。セットプレート１２２の外側には、図６（Ａ）から図６（Ｄ）に示す第１の操作部１２４が回動可能に配設されている。図７はセットプレート１２２から第１の操作部１２４を取り外した状態を示す。図８には、図７中のＶＩＩＩ−ＶＩＩＩ線に沿った方向から観察した状態を示す概略図を示す。
【００２７】
第１の操作部１２４は、図６（Ａ）から図６（Ｄ）に示すように、略環状に形成された環状部１４２と、環状部１４２の縁部から例えば環状部１４２の中心軸に略平行に延出された延出部１４４ａ，１４４ｂと、延出部１４４ａ，１４４ｂから環状部１４２の径方向外方に向かって突出したフランジ部１４６ａ，１４６ｂとを有する。  
環状部１４２には例えば適宜の間隔ごとに目盛り（釣り人に第１の操作部１２４の調整状態を視認により認識させる視認部、認識手段）１４２ａが付されている。これら目盛り１４２ａは環状部１４２に対して突出していたり、着色により目立つように形成されている。図１（Ｂ）及び図２に示す目盛り１４２ａには、例えば数字等が付されている。これら目盛り１４２ａは、左側板１６ｂの後述する第１の窓部（認識手段）２１２を通して視認可能である。このとき、目盛り１４２ａは図１（Ａ）に示す上側からも視認可能であるし、図１（Ｂ）及び図２に示す左側からも視認可能である。  
なお、環状部１４２の目盛り１４２ａを左手ＬＨの親指ＬＴの指腹で操作する場合、目盛り１４２ａ自体が滑り止めとして機能するように、例えば凹凸状等の滑り止めが付されていることが好ましい。
【００２８】
延出部１４４ａ，１４４ｂは、環状部１４２の中心軸に対して対向する位置に形成されている。フランジ部１４６ａ，１４６ｂは、延出部１４４ａ，１４４ｂのうち環状部１４２に対する遠位の位置から環状部１４２の中心軸に対して離れる方向に形成されている。  
一方、セットプレート１２２には第１の操作部１２４のフランジ部１４６ａ，１４６ｂを回動可能に保持する１対の保持部１５０ａ，１５０ｂ（図５、図７、図９、図１０参照）が形成され、第１の操作部１２４を所定の範囲内で回動可能としている。なお、第１の操作部１２４の中心軸はスプール軸２６の軸芯（中心軸）Ｃと略一致する。また、第１の操作部１２４はスプール軸２６の軸芯Ｃ回りに回動するが、セットプレート１２２の１対の保持部１５０ａ，１５０ｂによって保持されているので、スプール軸２６の軸方向には移動しない。
【００２９】
図６（Ａ）から図６（Ｄ）に示すように、１対の延出部１４４ａ，１４４ｂには、環状部１４２の中心軸に向かって突出する内側突状部１４８ａ，１４８ｂが形成されている。セットプレート１２２の大径部１３４ｂの環状溝１３８に摺動可能に配設された外側磁石ホルダ１２８には、図８に示すように、内側突状部１４８ａ，１４８ｂが係合される係合溝１５２が形成されている。この係合溝１５２は、スプール軸２６と平行に形成された軸方向溝１５４と、軸方向溝１５４に連続し例えば略螺旋状に形成された螺旋状溝１５６とを有する。このうち、軸方向溝１５４は内側突状部１４８ａ，１４８ｂを外側磁石ホルダ１２８に着脱する際に用いられる。
【００３０】
そして、第１の操作部１２４の内側突状部１４８ａ，１４８ｂが外側磁石ホルダ１２８の係合溝１５２に係合された状態で、第１の操作部１２４を回動させると、第１の操作部１２４の内側突状部１４８ａ，１４８ｂは外側磁石ホルダ１２８の係合溝１５２の螺旋状溝１５６をスプール軸２６の軸方向に押圧する。すなわち、外側磁石ホルダ１２８がスプール軸２６の軸方向に沿って移動する。図４及び図１０に示すように、外側磁石ホルダ１２８と内側磁石ホルダ１２６とは互いにスプール軸２６の軸方向に一体に動く構成となっているため、外側磁石ホルダ１２８とともに内側磁石ホルダ１２６もスプール軸２６の軸方向に沿って移動する。
【００３１】
図６（Ａ）から図６（Ｃ）に示すように、第１の操作部１２４は、環状部１４２から延出された突出部１６０ａを介して操作突起１６０を有する。図２及び図５に示すように、この操作突起１６０は、リール１０の左側板１６ｂの下側縁部ＬＬから突出するように形成されている。なお、左側板１６ｂの下側縁部ＬＬには、操作突起１６０の回動量を所定の範囲内に規制するように操作開口部１２０が規定されている。  
なお、この実施形態による魚釣用リール１０は、左側板１６ｂの下側縁部ＬＬの操作開口部１２０から第１の操作機構１１０の操作突起１６０を操作可能に露出させている。そして、操作突起１６０が左側板１６ｂの下側縁部ＬＬから突出する突出量は小さく、釣竿８及びリール１０を握持保持したときに左手ＬＨが当たらない位置にある。すなわち、左手ＬＨで釣竿８とリール１０を保持した状態で、第１の操作機構１１０の操作突起１６０と左手ＬＨとの間に空間が形成される。このため、操作突起１６０に左手ＬＨを当てるのを防止でき、意図せず操作突起１６０を操作する誤操作を防止できる。
【００３２】
そして、図９（Ａ）から図９（Ｃ）に示すように、セットプレート１２２に装着された第１の操作部１２４の操作突起１６０を操作し、操作突起１６０に連動して動く環状部（連動部材）１４２すなわち第１の操作部１２４をセットプレート１２２に対して回動させると、図１０（Ａ）から図１０（Ｃ）に示すように、導電体５６の円筒状部５６ｃが内側磁石６８と外側磁石７０との間の環状間隙７２に入る量が変更される。なお、図９（Ａ）に示す状態は図１０（Ａ）に、図９（Ｂ）に示す状態は図１０（Ｂ）に、図９（Ｃ）に示す状態は図１０（Ｃ）にそれぞれ対応する。
【００３３】
この実施形態では、図８に示すように、外側磁石ホルダ１２８の係合溝１５２の螺旋状溝１５６は３つの段部１５６ａ，１５６ｂ，１５６ｃを連続して有する。第１段部１５６ａと第２段部１５６ｂとの間に、第２段部１５６ｂと第３段部１５６ｃとの間には共に段差（滑らかに連続していない部分）があり、第１の操作部１２４の内側突状部１４８ａ，１４８ｂが第１段部１５６ａと第２段部１５６ｂとの間や第２段部１５６ｂと第３段部１５６ｃとの間を移動する際にクリック感が得られる。  
第１段部１５６ａは軸方向溝１５４に近接する位置にあり、第１段部１５６ａに内側突状部１４８ａ，１４８ｂが係合されているときには、図１０（Ａ）に示すように、内側磁石６８及び外側磁石７０に対する導電体５６のディスク状部５６ｂの位置（距離Ｄ１）は最も遠い。このため、導電体５６の円筒状部５６ｃが磁石６８，７０の間に配設されている量は小さい。  
第２段部１５６ｂは、第１段部１５６ａと螺旋状溝１５６の最も奥側の第３段部１５６ｃとの間にあり、図１０（Ｂ）に示すように、第１段部１５６ａに内側突状部１４８ａ，１４８ｂが係合されている状態よりも内側磁石６８及び外側磁石７０に対する導電体５６のディスク状部５６ｂの位置は近い（距離Ｄ２＜Ｄ１）。このため、導電体５６の円筒状部５６ｃが磁石６８，７０の間に配設されている量は、第１段部１５６ａに内側突状部１４８ａ，１４８ｂが係合されている状態よりも大きい。  
第３段部１５６ｃは螺旋状溝１５６の最も奥側にあり、図１０（Ｃ）に示すように、第２段部１５６ｂに内側突状部１４８ａ，１４８ｂが係合されている状態よりも内側磁石６８及び外側磁石７０に対する導電体５６のディスク状部５６ｂの位置は近い（距離Ｄ３＜Ｄ２＜Ｄ１）。このため、導電体５６の円筒状部５６ｃが磁石６８，７０の間に配設されている量は、第２段部１５６ｂに内側突状部１４８ａ，１４８ｂが係合されている状態よりも大きい。
【００３４】
すなわち、操作突起１６０を図９（Ａ）に示す位置から図９（Ｃ）に示す位置に向かって回動させると、図１０（Ａ）から図１０（Ｃ）に示すように、円筒状部５６ｃが環状間隙７２に入る量が次第に大きくなる。このため、図９（Ｃ）及び図１０（Ｃ）に示す位置では、磁石６８，７０により大きな磁力を受ける。一方、図９（Ａ）及び図１０（Ａ）に示すように、円筒状部５６ｃが環状間隙７２に入る量が小さくなると、磁石６８，７０により受ける磁力が小さくなる。このように、第１の操作部１２４を操作することによって、スプール２０の基準制動力を設定することができる。その基準制動力（抑制力）は第１段部１５６ａに内側突状部１４８ａ，１４８ｂがある状態から、第２段部１５６ｂ、第３段部１５６ｃと奥側に移動するにつれて大きくなる。  
そして、スプール２０を回転させると、導電体５６には内側リング磁石６８及び外側リング磁石７０による磁界の影響で渦電流が発生するが、導電体５６の円筒状部５６ｃが磁石６８，７０の間に配設されている量（内側突状部１４８ａ，１４８ｂが段部１５６ａ，１５６ｂ，１５６ｃに係合されている位置）に応じてスプール２０の回転抑制力を規定する。
【００３５】
図４及び図１１（Ａ）に示すように、第２の操作機構１１２は、スプール制動力調整部１７２と、第１の操作機構１１０の内側磁石ホルダ１２６から延出された延出部１７４と、この延出部１７４の遠位端に固定された連動歯車１７６とを有する。延出部１７４と連動歯車１７６は一体でも良いが、別体とすると組み立て性が良いので別体であることが好ましい。  
スプール制動力調整部１７２は、セットプレート１２２及び左側枠１４ｂに対して螺合固定可能な螺合固定部１８２と、螺合固定部１８２の回りを回動可能な第２の操作部（回動操作部）１８４とを備えている。第２の操作部１８４は螺合固定部１８２によってセットプレート１２２に対して適度に押圧され、適当な力を加えないと第２の操作部１８４が回動しないようになっている。
【００３６】
第２の操作部１８４は外周部１８４ｃの縁部１８４ｄに少なくとも凹凸による滑り止めＫが形成された例えば円形ダイヤル形状（円形状）を有する。このような円形ダイヤル形状を有すると、図１１（Ａ）に示す親指ＬＴの腹部が外周部１８４ｃと側面１８４ｅの２面に跨る縁部１８４ｄへの押圧となって接触面積を大きく取れ、かつ、親指ＬＴへの圧力を広範囲に分散できる。このため、第２の操作部１８４を操作し易い上、繰り返しの操作によっても左手ＬＨの親指ＬＴが痛くなり難い。また、親指ＬＴを第２の操作部１８４に押し当てた際に凹凸部に親指ＬＴの指腹が喰い込むので、操作の際の滑りを防止できる。  
なお、凹凸による滑り止めＫは第２の操作部１８４の外周部１８４ｃの全体や側面１８４ｅの全体に形成しても良い。また、第２の操作部１８４の径方向内方の側面１８４ｅに目盛り１８４ｆ（釣り人に第２の操作部１８４の調整状態を視認により認識させる視認部、認識手段）が付されて形成されている。
【００３７】
図１１（Ａ）に示すように、第２の操作部１８４の縁部１８４ｄの近傍の側面１８４ｅには、例えば環状に溝１８４ａが形成されている。このため、指に水分が付着している場合に、その水分を溝１８４ａに逃がすことができ、第２の操作部１８４を滑り難くすることができる。特に、左側板１６ｂにより形成される後述する第２の窓部２１４内に親指ＬＴを押し付ける場合、第２の操作部１８４の滑り防止効果により、第２の操作部１８４への親指ＬＴの押し付け力は小さくて良い。なお、このような形状、機能をそのまま上述した第１の操作部１２４の環状部１４２の目盛り１４２ａに用いることも好ましい。  
また、第２の操作部１８４を回動させる際に、リーフスプリング１９２によりクリック音を発生させるとともに、第２の操作部１８４は、第２の操作部１８４を能動的に回動させるという人的な力を加えることによって回動するようになっている。すなわち、第２の操作部１８４の調整位置をズレ難くすることができる。
【００３８】
そして、スプール制動力調整部１７２の第２の操作部１８４の外周には回動操作部側歯車１８４ｂが形成され、これが連動歯車１７６に噛み合わせられている。このため、第２の操作部１８４を左側枠１４ｂに対して例えば図２中のＰ方向に回動させると、回動操作部側歯車１８４ｂを介して連動歯車１７６をＱ方向に回動させる。そして、連動歯車１７６に連結された延出部１７４を介して内側磁石ホルダ１２６が外側磁石ホルダ１２８に対してＲ方向に回動する。このため、内側リング磁石６８に対する外側リング磁石７０の相対位置が変化する。これにより、導電体５６の円筒状部５６ｃを配置した内側リング磁石６８と外側リング磁石７０との間に形成される環状間隙７２の磁界の強さを微調整することができる。
【００３９】
したがって、第１の操作機構１１０と第２の操作機構１１２とを組み合わせることによって、スプール２０に対して所望の制動力を付与することができる。  
なお、この実施形態では、第１及び第２の操作部１２４，１８４の上端位置は、上下方向ほぼ同じ高さにある。このため、第１及び第２の操作部１２４，１８４の特に上端近傍を操作する際に後述する開口２０２を前後方向に長く形成することによって、両者を１つの開口２０２を通して視認及び操作できる。
【００４０】
図１（Ａ）及び図１（Ｂ）に示すように、左側板１６ｂの外面部１１７には、左側からはもちろん、上側、上側やや後方側、上側やや左側等から第１及び第２の操作部１２４，１８４を視認可能とするとともに、左手ＬＨの親指をあてがうことによってこれらを操作可能とする開口２０２が形成されている。開口２０２は左側板１６ｂの外面部１１７の表面部ＯＳ及び裏面部ＩＳ間を貫通した状態に形成されている。開口２０２の上下方向の縁部の間には第１及び第２の操作機構１１０，１１２の第１及び第２の操作部１２４，１８４の上端近傍が配置されている。そして、開口２０２の上下方向の幅は図１１（Ａ）に示すように、親指ＬＴの指腹が第１及び第２の操作部１２４，１８４を押圧可能な幅に形成されている。  
そして、図５（Ａ）に示すように、開口２０２は左側板１６ｂの上下方向よりも前後方向に長く、開口２０２の前後方向の長さ（後述する枠体２０４の内部の前後方向の長さでも良い）Ｌ２は左側板１６ｂの前後方向の長さＬ１よりも短く形成されている。特に、開口２０２の前後方向の長さＬ２を左側板１６ｂの前後方向の長さＬ１の半分以上とし、第１及び第２の操作部１２４，１８４を確実に操作可能な空間を確保することが好ましい。これは、操作する指の移動や視認性のためである。開口２０２の前後方向の長さＬ２の上限は強度、剛性の確保から左側板１６ｂの前後方向の長さＬ１の８０％以下が好ましい。  
そして、円形状の第１及び第２の操作部１２４，１８４は前後方向に離れているので、第１及び第２の操作部１２４，１８４を親指ＬＴの指腹でそれぞれ別に回動操作可能であり、制動装置５４の制動力を調整できる。
【００４１】
図５（Ａ）に示す左側板１６ｂの稜線部分Ｅよりも上側（スプール軸２６の軸芯Ｃよりも上側）は、左側板１６ｂの表面部ＯＳ（図１１（Ａ）及び図１１（Ｂ）に示す仮想延長面Ｓを含む）に対する法線が水平面よりも上向きとなる。このため、左側板１６ｂの稜線部分Ｅよりも上側に開口２０２を形成した場合、開口２０２の縁部は上側よりも下側の方が左側に出っ張る。したがって、図１（Ａ）に示すように、第１の操作部１２４及び第２の操作部１８４の両者を上側又は上側後方側等から視認できる。  
リール本体１２の通常の把持状態では図１（Ａ）及び図１（Ｂ）に示すように、リール本体１２の上部（サムレスト１９）に左手ＬＨの親指ＬＴを、リール本体１２の下部や釣竿８に左手ＬＨのその他の指（例えば人差し指から小指）を掛けて把持する。このように、リール本体１２を通常に把持した場合、図１１（Ｂ）に示すように、人差し指から小指の付け根の近傍を親指ＬＴの付け根の近傍よりも左側板１６ｂに強く当てる必要がある。一方、スプール軸２６の軸芯Ｃの延長線上よりも上側の部分には掌を強く当てる必要がない（掌は必ずしも当たる必要はない）。したがって、窓部２１２，２１４がスプール軸２６の軸芯Ｃの延長線上よりも上側、すなわち親指ＬＴの付け根の近傍にあれば、窓部２１２，２１４が形成されていることは把持性に影響を与え難くすることができる。  
したがって、図１１（Ｂ）に示すように、左手ＬＨでリール１０を把持する際、左手ＬＨを左側板１６ｂの稜線部分Ｅよりも上側に当接させる必要性が少なく、稜線部分Ｅよりも上側の部分を把持のために用いる必要性が少ない。このため、稜線部分Ｅよりも上側は左手でリール１０を把持する際に影響を与え難く、稜線部分Ｅよりも上側の略全部を開口２０２として形成しても良い。一方、第１の操作部１２４及び第２の操作部１８４の両者を上側又は上側後方側等から視認できる状態を確保できれば、開口２０２の一部は図５（Ａ）に示す稜線部分Ｅ上にあっても良い。
【００４２】
開口２０２の縁部には例えば環状に形成された枠体２０４が取り付けられている。枠体２０４は例えば左手ＬＨの親指ＬＴを保護し、開口２０２（左側板１６ｂ）の強度及び剛性を維持する補強部材として用いられ、かつ、左側枠１４ｂの平面部１１５と左側板１６ｂとの間にゴミや海水等が浸入するのを防止することができる。枠体２０４は左側板１６ｂより硬度が低く、摩擦係数が小さい材料が好ましく、例えばＰＴＦＥ、ナイロン、ＡＢＳ樹脂、アセタール樹脂（ＰＯＭ）などの樹脂材が用いられることが好ましい。枠体２０４は上述した樹脂材等で一体成形され、開口２０２に対して外面部１１７の裏面部ＩＳ側から表面部ＯＳ側に向かって嵌め込まれて接着等により固定されることが好適である。枠体２０４は、例えば親指ＬＴが強く擦れるため、未塗装、未メッキ仕上げとすることが好ましい。また、図１１（Ａ）及び図１１（Ｂ）に示すように、枠体２０４は、左側枠１４ｂの平面部１１５（図５（Ｃ）参照）に向かって肉厚に形成されている。  
図１（Ａ）に示すように、左側板１６ｂの開口２０２に取り付けられた枠体２０４は、親指ＬＴを置く部分として形成され、図１１（Ａ）及び図１１（Ｂ）に示す仮想延長面Ｓに面一の位置から左側枠１４ｂの平面部１１５（図５（Ｃ）参照）に向かって延出されている。すなわち、この実施形態では、枠体２０４は第１及びの第２の操作部１２４，１８４にそれぞれ向かって水平方向に延出されている。そして、図１１（Ｂ）中に符号２０５で示す部分（枠体２０４のうちの下側部分）は左側板１６ｂの開口２０２の下側縁部よりも肉厚に形成されている（二重構造に形成されている）ので、左側板１６ｂ自体を補強できるとともに、開口２０２の剛性及び強度を高めることができる。
【００４３】
そして、開口２０２の縁部に環状に形成された枠体２０４の下側に親指ＬＴを押し当てると、親指ＬＴは枠体２０４の下側に向けた力を掛けることとなる。このとき、親指ＬＴが枠体２０４に強く擦れるので、親指ＬＴに負担を掛けるのを防止するため、Ｒ形状に丸められている。そして、図１１（Ａ）及び図１１（Ｂ）に示すように、枠体２０４の左側端部は左側板１６ｂの表面部ＯＳの仮想延長面Ｓから外方に突出させることなく、外面部１１７の表面部ＯＳと枠体２０４との境界は滑らかに形成され、特に、外面部１１７の表面部ＯＳと枠体２０４との境界は面一に形成されていることが好ましい。
【００４４】
図５（Ａ）に示すように、この実施形態では、枠体２０４は開口２０２内の空間を前後に仕切る仕切り部（支柱）２０６を有し、この仕切り部２０６によって、第１の操作部１２４の環状部１４２を視認可能とするとともに操作可能とする第１の窓部（貫通穴）２１２と、第２の操作部１８４を視認可能とするとともに操作可能とする第２の窓部（貫通穴）２１４とを形成する。すなわち、第１の窓部２１２は第２の窓部２１４の後方に形成されている。そして、開口２０２のうちの後側の空間である第１の窓部２１２と、前側の空間である第２の窓部２１４とを仕切り部２０６によって分けているので、第１の窓部２１２及び第２の窓部２１４の位置を視認しなくても、手触り（触覚）でそれぞれの位置を容易に認識できる。  
なお、枠体２０４によって形成される第１及び第２の窓部２１２，２１４は、それぞれ上下方向よりも前後方向に長く形成されていることが好ましい。
【００４５】
そして、第１の窓部２１２を通して第１の操作機構１１０の第１の操作部１２４の環状部１４２の一部である上端部近傍を視認及び操作可能であり、第２の窓部２１４を通して第２の操作機構１１２の第２の操作部１８４の一部である上端部近傍を視認及び操作可能である。第１の操作部１２４の環状部１４２を、図１１（Ｂ）中に破線で示す左側板１６ｂの表面部ＯＳの仮想延長面Ｓから外方に突出させることがない非突出状態に、第１の窓部２１２の内側に配置した状態で外部に露出させている。同様に、第２の操作部１８４を、図１１（Ａ）中に破線で示す左側板１６ｂの表面部ＯＳの仮想延長面Ｓから外方に突出させることがない非突出状態に、第２の窓部２１４の内側に配置した状態で外部に露出させている。  
この実施形態のように、例えば円形状の操作部１２４，１８４を用いる場合、第１及び第２の窓部２１２，２１４に左手ＬＨの親指ＬＴの指腹を押し当てて操作部１２４，１８４の一部に対して前後方向に力を加えれば、操作部１２４，１８４が回転する。したがって、上下方向に親指ＬＴの指腹が入る程度の狭い隙間だけで確実な操作を行うことができる。なお、親指ＬＴの太さは釣り人や手袋の有無等によって異なるので、上下方向の幅を実際の親指ＬＴの指腹が入るよりもやや太めの親指の指腹が入るように設定することが好適である。  
この場合、仕切り部２０６により操作部１２４，１８４が分離されているので、意図せず操作部１２４，１８４を同時に操作することが防止されている。
【００４６】
図１１（Ａ）中に破線で示す左側板１６ｂの表面部ＯＳの仮想延長面Ｓから第２の操作部１８４までの距離は、例えば０ｍｍから５ｍｍ程度で、０．５ｍｍから３．０ｍｍ程度であればなお好ましい。すなわち、第２の操作部１８４は左側板１６ｂの表面部ＯＳに対して突出しないように露出されている。  
図１１（Ｂ）中に破線で示す左側板１６ｂの表面部ＯＳの仮想延長面Ｓから第１の操作部１２４（環状部１４２）までの距離も同様であることが好ましい。このため、第１の操作部１２４は左側板１６ｂの表面部ＯＳに対して突出しないように露出されている。  
なお、仮想延長面Ｓの形状は、左側板１６ｂの第１及び第２の窓部２１２，２１４の周囲の形状によって変わる。第１及び第２の窓部２１２，２１４の周囲がこの実施形態のように曲面の場合、仮想延長面Ｓも曲面であり、第１及び第２の窓部２１２，２１４の周囲が平面の場合、仮想延長面Ｓも平面である。  
そして、左側板１６ｂの表面部ＯＳの仮想延長面Ｓから第１及び第２の操作部１２４，１８４が外方に突出しないことの判断は、リール取付脚部１８を水平に配置したときに、第１及び第２の窓部２１２，２１４の水平方向及び上下方向の短寸法方向で判断するものとする。この実施形態では図２に示す第１及び第２の窓部２１２，２１４の上下方向が前後方向に比べて短寸法方向であるため、仮想延長面Ｓ上に図示しない基準線が第１及び第２の窓部２１２，２１４の上下方向に採られ、その基準線に第１及び第２の操作部１２４，１８４が触れているか否かで突出しているか否かが判断される。なお、基準線は、第１及び第２の窓部２１２，２１４の周囲が曲面であるからこの実施形態では曲線である。また、この曲面は第１及び第２の窓部２１２，２１４の周囲の曲率面が延長した形で定義付けられる。
【００４７】
図５（Ｂ）に示すように、この実施形態では、仕切り部２０６は左側板１６ｂの内側で略Ｌ字状に形成されている。このため、仕切り部２０６は、屈曲部２０８によって上下方向及び左右方向の両方向に延びている。このように仕切り部２０６が略Ｌ字状に形成されていることにより、枠体２０４の上下方向及び左右方向を効果的に補強できる。  
仕切り部２０６は明確な屈曲部２０８を有する略Ｌ字状に限ることはなく、例えば１／４円弧や楕円弧等の一部として形成されていることも好ましい。この場合も仕切り部２０６で枠体２０４の上下方向及び左右方向を効果的に補強できる。  
図５（Ａ）に示すように、この実施形態では仕切り部２０６の前後方向の幅は、上側を下側に比べて大きくしている。特に、仕切り部２０６の前側縁部及び後側縁部は共に略円弧状に形成されている。この形状により、図２に示す円形状の第１及び第２の操作部１２４，１８４の操作性及び視認性を確保しつつ、第１及び第２の操作部１２４，１８４の外縁部と枠体２０４との間の隙間を小さくすることができる。  
なお、図１１（Ｂ）に示すように、枠体２０４のうち第１の窓部２１２の上側部分には、上側から下側、特に第１の操作部１２４の環状部１４２に向かって延出された延出部２１８を有する。延出部２１８により、第１の操作部１２４を操作可能としつつ、上下方向の空間幅を小さくして左側板１６ｂ内に例えばゴミ等が侵入するのを防止することができる。
【００４８】
図２及び図５（Ａ）に示すように、枠体２０４のうちの下側には２つの突起（釣り人に第１及び第２の操作部１２４，１８４の調整状態を視認により認識させる視認部）２１６ａ，２１６ｂが形成され、一方の突起２１６ａは第１の窓部２１２に向かって延出され、他方の突起２１６ｂは第２の窓部２１４に向かって延出されている。一方の突起２１６ａは第１の操作部１２４の環状部１４２の目盛り１４２ａを指し示し、他方の突起２１６ｂは第２の操作部１８４の目盛り１８４ｆを指し示す。  
このように、突起２１６ａは図５（Ａ）に示すように枠体２０４のうちの下側に形成され、環状部１４２の目盛り１４２ａの数値がいくつであるかを表わすポインタとして機能する。このとき、図１１（Ｂ）に示すように、第１の操作部１２４の環状部１４２の目盛り１４２ａと枠体２０４の突起２１６ａとは近接した位置にあるので、突起２１６ａ及び環状部１４２の目盛り１４２ａは見る角度によらず、突起２１６ａが指し示す位置を特定できる。すなわち、釣り人は目盛り１４２ａ及び突起２１６ａの両視認部で第１の操作部１２４の調整状態を視認により容易に認識できる。  
同様に、突起２１６ｂは図５（Ａ）に示すように枠体２０４のうちの下側に形成され、第２の操作部１８４の目盛り１８４ｆの数値がいくつであるかを表わすポインタとして機能する。このとき、図１１（Ａ）に示すように、第２の操作部１８４の目盛り１８４ｆと枠体２０４の突起２１６ｂとは近接した位置にあるので、突起２１６ｂ及び第２の操作部１８４の目盛り１８４ｆは見る角度によらず、突起２１６ｂが指し示す位置を特定できる。すなわち、釣り人は目盛り１８４ｆ及び突起２１６ｂの両視認部で第２の操作部１８４の調整状態を視認により容易に認識できる。
【００４９】
なお、突起２１６ａは必ずしも左側板１６ｂの枠体２０４に設けられている必要はなく、例えば左側枠１４ｂの平面部１１５に固定されていたり、左側枠１４ｂに対してネジ留めや嵌合等の手段により固定され第１の操作部１２４に対して移動しないセットプレート１２２に設けられていることも好適である。同様に、突起２１６ｂは必ずしも左側板１６ｂの枠体２０４に設けられている必要はなく、例えば左側枠１４ｂの平面部１１５に固定されていたり、螺合固定部１８２に設けられていることも好適である。  
さらに、目盛り１４２ａは必ずしも第１の操作部１２４の環状部１４２自体に設けられている必要はなく環状部１４２と一緒に動く部材として形成されていれば良い。同様に、目盛り１８４ｆは必ずしも第２の操作部１８４自体に設けられている必要はなく第２の操作部１８４と一緒に動く部材として形成されていれば良い。  
また、視認部としては目盛り１４２ａ，１８４ｆに限ることはなく、制動力の大小を表わす表示、行いたいキャスティングの方法（ロングキャスト用／ショートキャスト用）等を表わすようにしても良い。これらの表示は視認部としての突起２１６ａ，２１６ｂとともに、又は、突起２１６ａ，２１６ｂに代えて、左側板１６ｂの外面部１１７の表面部ＯＳから把持性が低下しないように突出しないように設けることも好ましい。
【００５０】
なお、仕切り部２０６を含む枠体２０４はリール１０を把持した手に与えるフィーリングを向上させることができる。また、枠体２０４に装飾等が施されて意匠性を向上させることができる。更には、枠体２０４は他部品（左側板１６ｂ）との関係において最適な材料を選択できる。また、枠体２０４を適宜に設計することにより、開口２０２の開口量が大きくなればなるほど、開口２０２の縁部に配設され窓部２１２，２１４を形成する枠体２０４による強度及び剛性を良好に維持しようとする補強効果を大きくすることができる。
【００５１】
このように形成された魚釣用リール１０を図１（Ａ）に示す上側から見た場合、左側板１６ｂの表面部ＯＳに対する法線が水平状態よりも上向きにある位置では、表面部ＯＳは上側よりも下側の方が左側に出っ張る。このような位置（表面部ＯＳに対する法線が水平状態よりも上向きにある位置）に開口２０２及び枠体２０４が形成されているので、開口２０２及び枠体２０４の上側よりも下側の方が左側に出っ張る。このため、開口２０２に枠体２０４を配設した場合であっても、図１１（Ａ）及び図１１（Ｂ）に示すように、枠体２０４の外表面が仮想面Ｓ上にあるので、第１の窓部２１２を通して第１の操作部１２４の環状部１４２の目盛り１４２ａの一部を視認可能である。図１１（Ｂ）に示すように、突起２１６ａに隣接する目盛り１４２ａを読むことによって、第１の操作部１２４の調整状態を上側から観察できる。したがって、左側板１６ｂの表面部ＯＳを上側（釣り人の顔側）に向かって傾けなくても第１の操作部１２４の環状部１４２の状態を確認することができる。このように、第１の操作部１２４の調整状態を確認したい場合、魚釣りの際の釣竿８及びリール１０の移動量、顔の移動量を抑制した状態で視認により確認することができる。  
釣り人はリール１０を左手ＬＨで保持した状態で左側板１６ｂの第１の窓部２１２を通して第１の操作部１２４の環状部１４２の上側部分に親指ＬＴを押し当てることができる。このように、第１の操作部１２４の環状部１４２を親指ＬＴの指腹に触れるように配置しているので、指の感覚で第１の操作機構１１０の状態（基準制動力）を容易に認識できる。この場合、親指ＬＴの指腹に触れる環状部１４２をそのまま操作しても良いし、操作突起１６０を操作しても良い。すなわち、スプール２０の基準制動力を調整する場合、環状部１４２を操作しても良いし、操作突起１６０を操作しても良い。  
第１の操作部１２４の環状部１４２を操作する場合、上側部分に押し当てた親指ＬＴを第１の窓部２１２に沿って前後方向に移動させる。このように第１の操作部１２４の環状部１４２を回動操作可能である。そして、操作突起１６０をスプール軸２６の軸芯Ｃ回りに回動操作する場合、操作突起１６０を操作しながら環状部１４２の目盛り１４２ａを第１の窓部２１２を通して例えば上側から観察できる。
【００５２】
同様に、リール１０を図１（Ａ）に示す上側から見た場合、第２の窓部２１４を通して第２の操作部１８４の目盛り１８４ｆの一部を視認可能である。このため、図１１（Ａ）に示すように、突起２１６ｂに隣接する目盛り１８４ｆを読むことによって、第２の操作部１８４の調整状態を上側から観察できる。したがって、左側板１６ｂの表面部ＯＳを上側に向かって傾けなくても第２の操作部１８４の状態を確認することができる。このように、第２の操作部１８４の調整状態を確認したい場合、魚釣りの際の釣竿８及びリール１０の移動量、顔の移動量を抑制した状態で視認により確認することができる。  
釣り人はリール１０を左手ＬＨで保持した状態で左側板１６ｂの第２の窓部２１４を通して第２の操作部１８４の上側部分に親指ＬＴを押し当てることができる。すなわち、第２の操作部１８４を親指ＬＴの指腹に触れるように配置しているので、指の感覚で第２の操作機構１１２の状態（基準制動力（制動効果）を微調整した状態）を容易に認識できる。第２の操作部１８４を操作する場合、上側部分に押し当てた親指ＬＴを第２の窓部２１４に沿って前後方向に移動させる。このように第２の操作部１８４を回動操作可能である。
【００５３】
この実施形態に係るリール１０をリール取付脚部１８を介して釣竿８に取り付けた釣り具を用いて魚釣りを実際に行う場合の一連の動作について簡単に説明する。（１）ハンドル３０を操作して釣糸を巻き取るとともに、左手ＬＨでリール１０を保持しつつ、親指ＬＴで第１及び／又は第２の操作部１２４，１８４を操作、又は、人差し指ＬＦで操作突起１６０を操作し、次キャスティング時の調整を行う。（２）そして、釣糸の巻取りを完了する。（３）釣竿８とリール１０を左手ＬＨから右手ＲＨに持ち替えて、右手ＲＨで釣竿８とリール１０を持つ。（４）このように持った状態でキャスティングする。キャスティング等を行うことによってスプール２０を回転させると、導電体５６には内側リング磁石６８及び外側リング磁石７０による磁界の影響で渦電流が発生し、第１の操作部１２４及び第２の操作部１８４の調整状態に応じてスプール２０の過回転を抑制する。  
すなわち、この実施の形態に係る釣り具を用いると、釣竿８を操作しながら、又は、リール１０のハンドル３０を操作しながら親指ＬＴ又は人差し指ＬＦでスプール２０の制動調整を行うことができる。このとき、リール１０の上側等から窓部２１２，２１４を見て目盛り１４２ａ，１８４ｆの位置を目視観察することもでき、また、手触りで目盛り１４２ａ，１８４ｆの位置を認識して制動装置５４の調整状態を認識することもできる。したがって、右手ＲＨで釣竿８とリール１０を持った後に左手ＬＨで第１及び第２の操作部１２４，１８４、操作突起１６０を調整する（スプール２０の制動調整を行う）手間を省くことができる。このため、制動装置５４の状態把握（操作部１２４，１８４の状態を視認）から制動装置５４の操作部１２４，１８４の操作に至る一連の動作を正確かつスピーディに実践できるので、一連の動作のサイクルを短縮でき、一定時間内での投入回数を多くすることができるので、魚釣りのチャンスを逃し難い。そして、第１及び第２の操作部１２４，１８４、操作突起１６０を操作するのに釣竿８を持ち替えたりする手間がないので、魚釣りをしながら次の投入プランに合わせてスプール２０の制動力を調整できる。  
そして、この実施形態では、第１の操作機構１１０に加えて第２の操作機構１１２を設けているので、良好な握持保持性の維持を図りながら、釣り場の実情に適した幅広い制動力調整が可能となる。
【００５４】
また、表面部ＯＳには突起物がなく、かつ、第１及び第２の操作部１２４，１８４は左側板１６ｂの表面部ＯＳ（仮想延長面Ｓを含む）よりも左側枠１４ｂの平面部１１５側に配設され左側板１６ｂの外側に対して非突出状態にあり、操作突起１６０が左手ＬＨに接触することが防止されているので、第１及び第２の操作部１２４，１８４が掌に喰い込むことがなく、握持保持性が良く、左手ＬＨの親指ＬＴで第１の操作部１２４、操作突起１６０及び第２の操作部１８４を誤操作するのを防止できる。そして、リール１０を握持保持する際に第１の操作部１２４、操作突起１６０及び第２の操作部１８４のいずれもが左手ＬＨに勝手に接触することが防止されているので、キャスティング操作においても第１の操作部１２４、操作突起１６０及び第２の操作部１８４が邪魔になることなく支障なく安定して行える。また、実釣時や釣り場移動時に第１の操作部１２４、操作突起１６０及び第２の操作部１８４に外力が加わり難くなるので、第１の操作部１２４、操作突起１６０及び第２の操作部１８４に傷が付いたり、第１の操作部１２４、操作突起１６０及び第２の操作部１８４の回転操作性が低下したり、磁気制動装置５４に支障をきたすことを防止できる。そして、必要な場合には親指ＬＴを動かして第１及び第２の操作部１２４，１８４の一部に親指ＬＴを掛けることによって、容易に第１及び第２の操作部１２４，１８４を操作できる。  
以上説明したように、制動装置５４の調整状態をリール本体１２を握持保持した釣り人の視覚及び／又は触覚（視覚及び触覚の少なくとも一方）により認識させる認識手段（目盛り１４２ａ，１８４ｆ、窓部２１２，２１４、突起２１６ａ，２１６ｂ）を左側板１６ｂに設けた。このため、釣竿８及びリール１０の移動量や釣り人の顔の移動量を減少（ゼロを含む）させた状態で制動装置５４の調整状態を確認できるので、特にルアー釣りの場合など、実際の釣りを邪魔せずに、必要な場合に制動装置５４の調整を容易に行うことができる。
【００５５】
また、第１及び第２の操作部１２４，１８４に凹凸を有する滑り止めを形成することによって、第１及び第２の操作部１２４，１８４の凹凸を親指ＬＴに引っ掛けることができ、第１及び第２の操作部１２４，１８４を操作しようとする際の滑りを防止できる。このため、滑り止めがない場合よりも弱い力を付加した状態で第１及び第２の操作部１２４，１８４を操作できる。このため、釣り人の疲労を低減できる。
【００５６】
この実施形態では、左側板１６ｂの開口２０２を通して２つの操作部１２４，１８４を操作可能な例について説明したが、第２の操作部（一方の操作部）１８４だけ操作及び視認の両者を行うことが可能であるが、第１の操作部（他方の操作部）１２４はその調整状態を視認可能であるだけ（第１の操作部１２４の環状部１４２を直接は操作できない）でも良い。この場合、例えば第１の窓部２１２の前後方向や上下方向の開口量を、操作可能である場合よりも小さく形成できる。なお、第１の操作部１２４は上述したように操作突起１６０によって操作可能である。  
また、この実施形態では枠体２０４が仕切り部（支柱）２０６を有するものとして説明したが、開口２０２の縁部に直接仕切り部２０６が形成されていることも好ましい。さらには、各窓部２１２，２１４それぞれが例えば環状の枠体で形成され（例えば２つの枠体が前後に並設され）、仕切り部２０６でそれらの枠体が嵌合等されていることも好ましい。  
さらに、この実施形態では、開口２０２を左側板１６ｂの表面部ＯＳに形成した例について説明したが、左側板１６ｂの表面部ＯＳ及び上側縁部ＵＬの両者にまたがって開口２０２が形成されていることも好適である。これらの場合、開口２０２が左手の親指が当たる位置よりも前方側にあれば、握持しているリール１０の手が視認の妨げになり難く、かつ、開口２０２がリール１０の操作の妨げになり難い。また、開口２０２は同様の理由で図１（Ｂ）及び図２に示すようにリール１０を配置したときに左側板１６ｂの上下方向の半分より上側に形成されることが好ましい。そうすると、窓部２１２，２１４を通して第１及び第２の操作部１２４，１８４を目視観察する場合に釣り人自身の顔を動かしたり、釣竿８及びリール１０を動かす量を減らすことができる。
【００５７】
次に、図１２から図１４を用いて第２実施形態について説明する。この実施形態は第１実施形態の変形例であって、第１実施形態で説明した部材と同一の部材又は同一の機能を有する部材にはできるだけ同じ符号を付し、説明を省略する。これは後述する第３及び第４実施形態においても同様である。  
図１２はこの実施形態に係る魚釣用リール１０の左側面図を示す。  
図１３（Ａ）から図１４（Ｂ）に示すように、左側板１６ｂの開口２０２からは、枠体２０４が除去されている。その代わりに、枠体２０４が左側板１６ｂの開口２０２に一体成形されている。他の構造は第１実施形態と同じであるから説明を省略する。このため、この実施形態においても第１実施形態の左側板１６ｂと同様に２つの窓部２１２，２１４が形成されている。  
枠体２０４を開口２０２に一体的成形することによって、開口２０２の縁部の厚さを厚くしているので、開口２０２の縁部を効果的に補強できる。この場合、図１３（Ｂ）、図１４（Ａ）及び図１４（Ｂ）に示すように、左側板１６ｂと枠体２０４とを別に作成する必要がなく、同一部材で一体成形しているので、左側板１６ｂの製造コストを低下させることができる。
【００５８】
次に、図１５及び図１６を用いて第３実施形態について説明する。  
図１５はこの実施形態に係る魚釣用リール１０の左側面図を示す。なお、図１５中のＸＩＶ（Ａ）−ＸＩＶ（Ａ）線に沿う断面は第２実施形態の図１４（Ａ）に示す断面と同じであり、ＸＩＶ（Ｂ）−ＸＩＶ（Ｂ）線に沿う断面は第２実施形態の図１４（Ｂ）に示す断面と同じである。  
図１６（Ａ）及び図１６（Ｂ）に示すように、この実施形態に係る左側板１６ｂの開口２０２からは、第２実施形態と同様に、枠体２０４が除去され枠体２０４が左側板１６ｂと一体成形されている。そして、窓部２１２，２１４の間は、補強用の略Ｌ字状の仕切り部２０６ではなく、外面部１１７の表面部ＯＳ及び裏面部ＩＳによる曲面２０６ａとして形成されている。ここで、第１の窓部２１２は第１の開口であり、第２の窓部２１４は第２の開口であるので、第１及び第２実施形態で説明した開口２０２よりもそれぞれ小さく形成されている。このため、第１の窓部２１２及び第２の窓部２１４の間に第１及び第２実施形態で説明した補強用の略Ｌ字状の仕切り部２０６を配設しなくても、強度及び剛性が良好な状態を維持できる。  
このように、第１の窓部２１２と第２の窓部２１４との間に複雑な形状がないので、第１及び第２実施形態に係る左側板１６ｂに対してさらに低コストで左側板１６ｂを製造できる。
【００５９】
図１６（Ａ）に示すように、第１の窓部２１２の前後方向の長さＬ３と、第２の窓部２１４の前後方向の長さＬ４とを合わせた長さ（Ｌ３＋Ｌ４）は左側板１６ｂの全体の前後方向の長さＬ１の半分以上とし、第１及び第２の操作部１２４，１８４を確実に操作するための空間を確保することが好ましい。  
なお、この実施形態に係る各窓部２１２，２１４に、第１実施形態で説明した枠体２０４が配設されることはもちろん好適である。
【００６０】
次に、図１７から図１９を用いて第４実施形態について説明する。  
図１７はこの実施形態に係る魚釣用リール１０の左側面図を示す。  
図１８（Ａ）から図１９（Ｂ）に示すように、この実施形態に係る左側板１６ｂの開口２０２からは、第２及び第３実施形態と同様に枠体２０４が除去され、１つの窓部２１３として形成されている。  
そして、開口２０２の上側縁部及び下側縁部は共に左側枠１４ｂの平面部１１５に向かって折り返されている。すなわち、開口２０２の縁部は他の部分よりも肉厚にして補強されている。  
この実施形態に係る窓部２１３の縁部に、第１実施形態で説明した枠体２０４が配設されることはもちろん好適である。この場合、枠体２０４に仕切り部２０６は不要である。
【００６１】
第１実施形態から第３実施形態では２つの窓部２１２，２１４を有する例を、第４実施形態では１つの窓部２１３を有する例について説明した。すなわち、窓部の数は１つでも複数でも良い。  
また、上述した第１から第４実施形態では２つの操作部１２４，１８４を窓部２１２，２１４（２１３）を通して操作可能、かつ、視認可能として説明したが、例えば第２の操作部１８４だけ操作可能とし、第１の操作部１２４を操作突起１６０だけで操作可能し、窓部２１２からは操作部１２４の調整位置（例えば調整した数値）のみ視認可能とすることも好ましい。  
また、上述した第１から第４実施形態では２つの操作部１２４，１８４を窓部２１２，２１４（２１３）を通して操作可能、かつ、視認可能として説明したが、第２の操作部１８４を例えば操作突起１６０と同様の構造だけで操作可能とし、第１の操作部１２４を操作突起１６０だけで操作可能し、窓部２１２，２１４を通して第１及び第２の操作部１２４，１８４の調整状態だけを視認可能としても良い。この場合、第１の操作部１２４の操作突起１６０の前方に第２の操作部１８４の操作突起が左側板１６ｂの下側縁部ＬＬにおいて並設されていることとなるので、いずれの操作突起を操作しようとしているか、釣り人は容易に認識できる。  
また、開口２０２を図５（Ａ）、図１３（Ａ）、図１６（Ａ）、図１８（Ａ）に示す稜線部分Ｅよりも下側に配置しても良い。この場合、開口２０２は左側板１６ｂの外面部１１７の表面部ＯＳに対する法線が水平状態よりも下向きとなるので、操作部１２４，１８４を視認し難い状態となる。一方、操作部１２４，１８４を親指ＬＴ以外の指（例えば人差し指）で触覚により認識させることができるとともに、その操作部１２４，１８４を操作可能とすることができる。  
また、上述した第１から第４実施形態では、それぞれ第１及び第２の操作部１２４，１８４を回転部材として形成する例について説明したが、第１及び第２の操作部が例えば矩形状の窓部に沿って移動可能なレバー状やスライドスイッチ状に形成されている等、第１及び第２の操作部の形状、操作方法は種々のものを用いることができる。  
上述した第１から第４実施形態では、左側枠１４ｂに対して左側板１６ｂを３つのネジ１１９で固定する例について説明したが、例えば嵌合を用いても良いし、嵌合とネジ固定とを組み合わせても良いし、適宜の構造で固定可能である。  
なお、上述した実施形態では磁気ブレーキ装置を用いて説明したが、遠心摩擦ブレーキ装置や他のブレーキ装置を左側枠１４ｂと左側板１６ｂとの間に配置したときにもブレーキの状態を認識できるようにすることも同様に可能である。  
これまで、いくつかの実施形態について図面を参照しながら具体的に説明したが、この発明は、上述した実施形態に限定されるものではなく、その要旨を逸脱しない範囲で行なわれるすべての実施を含む。
【符号の説明】
【００６２】
１２…リール本体、１４…フレーム、１４ｂ…左側枠、１６ｂ…左側板、１８…リール取付脚部、１９…サムレスト、１９ａ…左側縁部、２０…スプール、２０ａ…鍔部、２０ｂ…釣糸巻回胴部、２０ｃ…中央壁部、Ｃ…スプール軸の軸芯（中心軸）、３０…ハンドル、３０ａ…ツマミ、５４…磁気制動装置、１１０…第１の操作機構、１１２…第２の操作機構、１１７…外面部、ＵＬ…上側縁部、ＬＬ…下側縁部、ＯＳ…表面部、ＩＳ…裏面部、Ｅ…稜線部分、Ｓ…仮想延長面、１２０…操作開口部、１２２…セットプレート、１２４…第１の操作部、１２６…内側磁石ホルダ、１２８…外側磁石ホルダ、１４２…環状部、１４２ａ…目盛り（視認部）、１４６ａ，１４６ｂ…フランジ部、１４８ａ，１４８ｂ…内側突状部、１５０ａ，１５０ｂ…保持部、１６０…操作突起、１６０ａ…突出部、１７２…スプール制動力調整部、１７４…延出部、１７６…連動歯車、１８２…螺合固定部、１８４…第２の操作部、１８４ａ…溝、１８４ｂ…回動操作部側歯車、１８４ｃ…外周部、１８４ｄ…縁部、１８４ｅ…側面、１８４ｆ…目盛り（視認部）、１９２…リーフスプリング、２０２…開口、２０４…枠体、２０６…仕切り部、２０８…屈曲部、２１２…第１の窓部、２１４…第２の窓部、２１６ａ，２１６ｂ…突起（視認部）、２１８…延出部。
【図１】
0005732263.tif 000002
【図２】
0005732263.tif 000003
【図３】
0005732263.tif 000004
【図４】
0005732263.tif 000005
【図５】
0005732263.tif 000006
【図６】
0005732263.tif 000007
【図７】
0005732263.tif 000008
【図８】
0005732263.tif 000009
【図９】
0005732263.tif 000010
【図１０】
0005732263.tif 000011
【図１１】
0005732263.tif 000012
【図１２】
0005732263.tif 000013
【図１３】
0005732263.tif 000014
【図１４】
0005732263.tif 000015
【図１５】
0005732263.tif 000016
【図１６】
0005732263.tif 000017
【図１７】
0005732263.tif 000018
【図１８】
0005732263.tif 000019
【図１９】
0005732263.tif 000020